【手続補正書】
【提出日】平成25年9月2日(2013.9.2)
【手続補正１】
【補正対象書類名】明細書
【補正対象項目名】発明の名称
【補正方法】変更
【補正の内容】
【発明の名称】インクジェット記録装置およびインクジェット記録方法
【手続補正２】
【補正対象書類名】明細書
【補正対象項目名】０００１
【補正方法】変更
【補正の内容】
【０００１】
本発明は、インクのほかに画質向上液を用いて記録媒体の画像を記録するインクジェット記録装置に関する。特に、色材に顔料を含有するインクを使用する場合、写像性を確保しながらも画像の薄膜干渉やブロンズに起因する反射光の色づきを低減するためのインクジェット記録装置およびインクジェット記録方法に関する。
【手続補正３】
【補正対象書類名】明細書
【補正対象項目名】００１３
【補正方法】変更
【補正の内容】
【００１３】
上記課題を解決するための本発明は、互いに色が異なる複数の顔料インクと、前記複数の顔料インクとは異なる第１の画質向上液と、前記複数の顔料インクとは異なり前記第１の画質向上液よりも記録媒体に対する浸透性が高い第２の画質向上液と、を吐出する記録ヘッドを用い、記録媒体に画像を記録するインクジェット記録装置であって、前記複数の顔料インクを用いて前記記録媒体にカラー画像を記録するカラーモード、および前記複数の顔料インクのうち少なくとも１つの顔料インクを用いて前記記録媒体に無彩色調の画像を記録するモノクロモード、のそれぞれにおける、前記第１の画質向上液と前記第２の画質向上液の前記記録媒体の単位領域に対する付与量を設定する設定手段を備え、前記設定手段は、無彩色を示す所定の入力信号に基づいて前記記録媒体に記録する場合に、前記第２の画質向上液の前記付与量に対する前記第１の画質向上液の前記付与量の割合が、前記カラーモードよりも前記モノクロモードの方が高くなるように、前記第１の画質向上液と前記第２の画質向上液とのそれぞれの前記付与量を設定することを特徴とする。
【手続補正４】
【補正対象書類名】特許請求の範囲
【補正対象項目名】全文
【補正方法】変更
【補正の内容】
【特許請求の範囲】
【請求項１】
互いに色が異なる複数の顔料インクと、前記複数の顔料インクとは異なる第１の画質向上液と、前記複数の顔料インクとは異なり前記第１の画質向上液よりも記録媒体に対する浸透性が高い第２の画質向上液と、を吐出する記録ヘッドを用い、記録媒体に画像を記録するインクジェット記録装置であって、
前記複数の顔料インクを用いて前記記録媒体にカラー画像を記録するカラーモード、および前記複数の顔料インクのうち少なくとも１つの顔料インクを用いて前記記録媒体に無彩色調の画像を記録するモノクロモード、のそれぞれにおける、前記第１の画質向上液と前記第２の画質向上液の前記記録媒体の単位領域に対する付与量を設定する設定手段
を備え、
前記設定手段は、無彩色を示す所定の入力信号に基づいて前記記録媒体に記録する場合に、前記第２の画質向上液の前記付与量に対する前記第１の画質向上液の前記付与量の割合が、前記カラーモードよりも前記モノクロモードの方が高くなるように、前記第１の画質向上液と前記第２の画質向上液とのそれぞれの前記付与量を設定することを特徴とするインクジェット記録装置。
【請求項２】
前記第１の画質向上液と前記第２の画質向上液は樹脂を含有することを特徴とする請求項１に記載のインクジェット記録装置。
【請求項３】
前記記録媒体に付与された前記第１の画質向上液が含む樹脂中の前記記録媒体の表面に残存する樹脂の割合よりも、前記記録媒体に付与された前記第２の画質向上液が含む樹脂中の前記記録媒体の表面に残存する樹脂の割合のほうが低いことを特徴とする請求項２に記載のインクジェット記録装置。
【請求項４】
前記第１の画質向上液は色材を含むことを特徴とする請求項１乃至３のいずれかに記載のインクジェット記録装置。
【請求項５】
前記第１の画質向上液は無彩色の色材を含むことを特徴とする請求項４に記載のインクジェット記録装置。
【請求項６】
前記第１の画質向上液と前記第２の画質向上液は色材を含まないことを特徴とする請求項１乃至３のいずれかに記載のインクジェット記録装置。
【請求項７】
前記カラーモードでは、前記第１の画質向上液の前記付与量よりも前記第２の画質向上液の前記付与量が高く、前記モノクロモードでは、前記第２の画質向上液の前記付与量よりも前記第１の画質向上液の前記付与量が高いことを特徴とする請求項１乃至６のいずれかに記載のインクジェット記録装置。
【請求項８】
前記カラーモードでは、前記第１の画質向上液を用いずに記録を行うことを特徴とする請求項１乃至７のいずれかに記載のインクジェット記録装置。
【請求項９】
前記モノクロモードでは、前記第２の画質向上液を用いずに記録を行うことを特徴とする請求項１乃至８のいずれかに記載のインクジェット記録装置。
【請求項１０】
前記設定手段は、前記複数の顔料インクの前記付与量の総和が所定の量より低い場合において、前記モノクロモードにおける前記第２の画質向上液の前記付与量に対する前記第１の画質向上液の前記付与量の割合が、前記カラーモードにおける前記割合よりも高くなるように、前記第１の画質向上液と前記第２の画質向上液の前記付与量を設定することを特徴とする請求項１乃至９のいずれかに記載のインクジェット記録装置。
【請求項１１】
前記設定手段は、前記記録媒体の種類に応じて前記第１の画質向上液および前記第２の画質向上液の前記付与量を決定することを特徴とする請求項１乃至６のいずれかに記載のインクジェット記録装置。
【請求項１２】
前記記録媒体の画像領域に対し、前記記録ヘッドによる顔料インクの記録が完了した後に、前記記録ヘッドによる前記第１の画質向上液および／または前記第２の画質向上液の付与が行われるように、記録順序を制御する手段を更に備えることを特徴とする請求項１乃至１１のいずれかに記載のインクジェット記録装置。
【請求項１３】
前記設定手段は、ＲＧＢの前記所定の入力信号を、前記複数の顔料インク、前記第１の画質向上液および前記第２の画質向上液の、それぞれに対応した複数の出力信号に変換する手段であって、
前記設定手段は、前記所定の入力信号に基づく画像を前記記録媒体に記録する場合に、前記第２の画質向上液の前記付与量に対する前記第１の画質向上液の前記付与量の割合が、前記カラーモードよりも前記モノクロモードの方が高くなるように、前記第１の画質向上液と前記第２の画質向上液の出力信号に変換することを特徴とする請求項１乃至１２のいずれかに記載のインクジェット記録装置。
【請求項１４】
互いに色が異なる複数の顔料インクと、前記複数の顔料インクとは異なる第１の画質向上液と、前記複数の顔料インクとは異なり前記第１の画質向上液よりも記録媒体に対する浸透性が高い第２の画質向上液と、を吐出する記録ヘッドを用い、記録媒体に画像を記録するためのインクジェット記録方法あって、
前記複数の顔料インクを用いて前記記録媒体にカラー画像を記録するカラー記録、および前記複数の顔料インクのうち少なくとも１つの顔料インクを用いて前記記録媒体に無彩色調の画像を記録するモノクロ記録とのそれぞれを行い、
無彩色を示す所定の入力信号に基づいて画像を記録する場合に、前記記録媒体の単位領域における前記第２の画質向上液の付与量に対する前記第１の画質向上液の付与量の割合が、前記カラー記録よりも前記モノクロ記録の方が高いことを特徴とするインクジェット記録方法。
【請求項１５】
前記第１の画質向上液と前記第２の画質向上液は樹脂を含有することを特徴とする請求項１４に記載のインクジェット記録方法。
【請求項１６】
前記記録媒体に付与された前記第１の画質向上液が含む樹脂中の前記記録媒体の表面に残存する樹脂の割合よりも、前記記録媒体に付与された前記第２の画質向上液が含む樹脂中の前記記録媒体の表面に残存する樹脂の割合のほうが低いことを特徴とする請求項１５に記載のインクジェット記録方法。
【請求項１７】
前記第１の画質向上液は色材を含むことを特徴とする請求項１４乃至１６のいずれかに記載のインクジェット記録方法。
【請求項１８】
前記第１の画質向上液は無彩色の色材を含むことを特徴とする請求項１７に記載のインクジェット記録方法。
【請求項１９】
前記第１の画質向上液と前記第２の画質向上液は色材を含まないことを特徴とする請求項１４乃至１６のいずれかに記載のインクジェット記録方法。
【請求項２０】
前記カラーモードでは、前記第１の画質向上液の前記付与量よりも前記第２の画質向上液の前記付与量が高く、前記モノクロモードでは、前記第２の画質向上液の前記付与量よりも前記第１の画質向上液の前記付与量が高いことを特徴とする請求項１４乃至１９のいずれかに記載のインクジェット記録方法。
【請求項２１】
前記カラー記録では、前記第１の画質向上液を用いずに記録を行うことを特徴とする請求項１４乃至２０のいずれかに記載のインクジェット記録方法。
【請求項２２】
前記モノクロ記録では、前記第２の画質向上液を用いずに記録を行うことを特徴とする請求項１４乃至２１のいずれかに記載のインクジェット記録方法。
【請求項２３】
前記記録媒体の画像領域に対し、前記記録ヘッドによる顔料インクの記録が完了した後に、前記記録ヘッドによる前記第１の画質向上液および／または前記第２の画質向上液の付与が行われるように、記録順序を制御することを特徴とする請求項１４乃至２２のいずれかに記載のインクジェット記録方法。